(57)【特許請求の範囲】
【請求項１】
一対の脱ぷロールにより形成されるロール間隙部の籾の供給側及び摺出側の両側に当接する一対のロール当接部材と、該一対のロール当接部材を片持ち支持する支持プレートとからなり、
該支持プレートには、一端側に前記一対のロール当接部材のうちの一方のロール当接部材を固定状に支持するとともに、他端側に他方のロール当接部材を摺動可能に支持するための長孔を穿設し、
該長孔に挿通したノブボルトの螺軸と前記他方のロール当接部材に穿設した螺孔との螺合により、前記他方のロール当接部材を支持したことを特徴とする籾摺機における脱ぷロールの回り止め具。
【請求項２】
前記一対のロール当接部材は、横断面が円形の棒状部材で形成してなる請求項１記載の籾摺機における脱ぷロールの回り止め具。
【請求項３】
前記一対のロール当接部材は、横断面が三角形の棒状部材で形成してなる請求項１記載の籾摺機における脱ぷロールの回り止め具。
【発明の詳細な説明】
【技術分野】
【０００１】
本発明は、籾摺機における脱ぷロールの回り止め具に関する。
【背景技術】
【０００２】
従来、一対の脱ぷロールを備えた籾摺機においては、高速側ロールと低速側ロールとの周速度差により籾摺作業を行うので、高速側ロールほど磨耗が早く進んでロール径が減少する。高速側ロール径が減少すると周速度差が減少して脱ぷ率が低下してしまうので、一定時間ごとに高速側ロールと低速側ロールとを入れ替える作業を行ったり、新品の脱ぷロールに交換する作業を行ったりする。
【０００３】
例えば、籾摺機の脱ぷロール１０１，１０２を交換する際は（図８参照）、セットボルト１０３，１０４を緩めて、駆動軸１０５，１０６からボス部１０７，１０８ごと脱ぷロール１０１，１０２を取り外すことが考えられるが、この作業では新たな脱ぷロール１０１，１０２を駆動軸１０５，１０６に取り付ける際、脱ぷロール１０１，１０２を駆動軸１０５，１０６の側壁１０９側の奥に無造作に押し込んでしまうと、脱ぷロール１０１，１０２と側壁１０９とが接触して焼付を起こし、発熱して磨耗するという問題が生じる。そこで、側壁１０９に突出体Cを設けて、側壁１０９と一定の間隔を保持して正確に脱ぷロール１０１，１０２をセットするよう、籾摺機の脱ぷ部におけるロールの位置決め装置に関する提案がされた（図８及び特許文献１参照）。しかしながら、このような側壁１０９に特別な突出体Cを設ける構成であると、部品点数が多くなり、構成が複雑で製造コスト高になるという新たな問題が生じる。
【０００４】
一方、駆動軸１０５，１０６からボス部１０７，１０８ごと脱ぷロール１０１，１０２を取り外すのではなく、ボス部１０７，１０８に設けられた脱ぷロール固定ボルト１１０，１１１（図８参照）を緩めて、ボス部１０７，１０８を残して、脱ぷロール１０１，１０２のみを取り外すと、脱ぷロール１０１，１０２と側壁１０９との接触による焼付けを起こすといった問題は生じない。しかし、この脱ぷロール固定ボルト１１０，１１１を緩める際は、該固定ボルト１１０，１１１を緩める方向と脱ぷロール１０１，１０２が回動する方向（駆動軸１０５，１０６の回動する方向）とが同じで共回りするので、従来は作業者が意図的に柄の大きなドライバーや木の棒などを一対の脱ぷロール１０１，１０２の間隙に噛み込ませて、脱ぷロール１０１，１０２の回動を止めて作業を行っていた。
【０００５】
上記作業は、柄の大きなドライバーや木の棒などを脱ぷロール１０１，１０２の間隙部の上方から噛み込ませているので、脱ぷロール１０１，１０２の籾の供給方向（籾の飲み込み側）の回動は確実に止めることができるが、籾の供給とは逆方向に脱ぷロールが回動される力が働いた場合、脱ぷロール１０１，１０２が確実に止められておらず、共回りして該ロール固定ボルト１１０，１１１を緩め難いという問題があった。また、新たな脱ぷロールを組み付ける際にも、同様に共回りしてロール固定ボルト１１０，１１１を締め付け難いという問題があった。
【特許文献１】実開昭６０−５８２３９号公報
【発明の開示】
【発明が解決しようとする課題】
【０００６】
本発明は上記問題点にかんがみ、脱ぷロールの回動を確実に止めて、脱ぷロール交換作業を容易に、かつ、短時間で行うことができる籾摺機における脱ぷロールの回り止め具を提供することを技術的課題とする。
【課題を解決するための手段】
【０００７】
上記課題を解決するため本発明は、一対の脱ぷロールにより形成されるロール間隙部の籾の供給側及び摺出側の両側に当接する一対のロール当接部材と、該一対のロール当接部材を片持ち支持する支持プレートとからなり、該支持プレートには、一端側に前記一対のロール当接部材のうちの一方のロール当接部材を固定状に支持するとともに、他端側に他方のロール当接部材を摺動可能に支持するための長孔を穿設し、該長孔に挿通したノブボルトの螺軸と前記他方のロール当接部材に穿設した螺孔との螺合により、前記他方のロール当接部材を支持する、という技術的手段を講じた。
【０００８】
請求項２記載の発明によれば、前記一対のロール当接部材は、横断面が円形の棒状部材で形成したことを特徴とする。
【０００９】
請求項３記載の発明によれば、前記一対のロール当接部材は、横断面が三角形の棒状部材で形成したことを特徴とする。
【発明の効果】
【００１０】
本発明の籾摺機における脱ぷロールの回り止め具は、一対のロール当接部材が、籾摺機における一対の脱ぷロールの間隙部を、籾の供給側及び摺出側の両側から挟み込むように支持するので、籾の供給とは逆方向に回動される力が脱ぷロールに働いた場合でも、脱ぷロールの回動を確実に止めて、共回りすることなくロール固定ボルトを緩めることができる。また、新たに脱ぷロールの組み付ける際も、同様に共回りすることなくロール固定ボルトを締め付けることができる。これにより、脱ぷロール交換作業を容易に、かつ、短時間で行うことができるようになる。
【００１１】
また、前記一方のロール当接部材が固定状に支持され、前記他方のロール当接部材が摺動可能に支持されているので、脱ぷロールのロール径（インチ数）の大・小にかかわらず、確実に脱ぷロールの回動を止めることができる。
【００１２】
さらに、前記一対のロール当接部材は、横断面が円形の棒状部材や、横断面が三角形の棒状部材を採用することができる。特に、後者の三角形状を採用すると、三角形状の斜辺部と脱ぷロールとの当接する面積が増すので、脱ぷロールの回動をより確実に止めることができる。
【発明を実施するための最良の形態】
【００１３】
以下、本発明の実施の形態を図面を参照して説明する。
（第１実施形態）図１は本発明の籾摺機における脱ぷロールの回り止め具の実施例を示す斜視図であり、図２は同側面図であり、図３は同背面図であり、図４は使用状態を示す斜視図であり、図５は使用状態を示す正面図である。
【００１４】
図１及び図４に示すように、本発明の籾摺機における脱ぷロールの回り止め具１は、一対の脱ぷロールにより形成されるロール間隙部の籾の供給側Ｋ及び摺出側Ｓの両側に当接する一対のロール当接部材３，４と、該一対のロール当接部材３，４を片持ち支持する支持プレート２とを備えて構成されている。
【００１５】
前記支持プレート２の一端側には、前記一対のロール当接部材３，４のうちの一方のロール当接部材３が溶接によって固定状に支持されるとともに、該支持プレート２から貫通した把手部５が突設されている。前記支持プレートの他端側には、他方のロール当接部材４を摺動可能に支持するための長孔６が穿設されている。前記他方のロール当接部材４には端面に螺孔４ａが穿設され（図２参照）、前記長孔６に挿通したノブボルト７の螺軸７ａと螺合することで、摺動可能になる（図１の矢印参照）。
【００１６】
図２は回り止め具１の側面図であるが、前記一対のロール当接部材３，４は、籾摺機の一対の脱ぷロールに噛み込ませ、脱ぷロールの回動が止められる太さの棒状部材によって形成するとよく、例えば、鉄製で15ｍｍ径（符号ｄ参照）の丸棒が好ましい。また、前記一対のロール当接部材３，４は、その長さをほぼ同じ長さとするのがよく、脱ぷロールのロール径（インチ数）にもよるが、例えば、長さを95ｍｍ（符号Ｌ参照）とすると、２．５インチから6インチまでの脱ぷロールの回動を止めることができる。符号５は丸棒状の把手部であるが、このような形状に限らず作業者が把持しやすい形状に変更してもよい。
【００１７】
次に、上記構成における作用を図１乃至図５を参照しながら説明する。作業者は脱ぷロール８，９の交換作業に先立って、脱ぷロール８，９の回動を止める作業を行う。作業者は、まず、回り止め具１の把手部５を手で持ち（図１参照）、ノブボルト７を緩めて他方のロール当接部材４を摺動し、あらかじめ一方のロール当接部材３との間隔を広げておく。そして、籾摺機における一対の脱ぷロール８，９のロール間隙部Ｌに、籾の供給側Ｋ及び摺出側Ｓの両側からロール当接部材３，４を挿入する（図４，図５参照）。次に、他方のロール当接部材４を一方のロール当接部材３側に移動させて間隔を狭めるとともに、ノブボルト７を締め付け、ロール間隙部Ｌを籾の供給側Ｋ及び摺出側Ｓの両側から挟んで、脱ぷロール８，９の回動を止める。
【００１８】
その後、作業者はスパナ、ボックスレンチ又はラチェットレンチ等を使用し、ボス部８ａ，９ａの脱ぷロール固定ボルト１0ａ，１0ｂ，１0ｃ，１1ａ，１1ｂ，１1ｃ（図４，図５参照）を緩める。このとき、籾の供給とは逆方向に脱ぷロールを回動する力が働いた場合でも、脱ぷロールの回動が確実に止められているので、共回りすることなくロール固定ボルトを緩めることができる。
【００１９】
次に、脱ぷロール固定ボルト１０，１１を緩めて、手で容易に螺脱することが可能になった段階で、回り止め具１を取り外して脱ぷロール８，９の交換を行うとよい。そして、新たに脱ぷロールの組み付ける際は、脱ぷロール８，９をボス部８ａ，９ａに嵌合するとともに、脱ぷロール固定ボルト１０，１１を手で螺入する。
【００２０】
上記同様、再度脱ぷロール８，９に回り止め具１をセットすれば、スパナ、ボックスレンチ又はラチェットレンチ等により、共回りすることなくロール固定ボルト１０，１１を締め付けることができる。
【００２１】
上記構成により、次のような効果を奏する。
（１) 一対のロール当接部材が、籾摺機における一対の脱ぷロールの間隙部を、籾の供給側及び摺出側の両側から挟み込むように支持するので、籾の供給とは逆方向に回動される力が脱ぷロールに働いたとしても、脱ぷロールの回動を確実に止めて、共回りすることなくロール固定ボルトを緩めることができる。また、新たに脱ぷロールの組み付ける際も、同様に共回りすることなくロール固定ボルトを締め付けることができる。これにより、脱ぷロール交換作業を容易に、かつ、短時間で行うことができるようになった。
（２) 前記支持プレートには、前記一方のロール当接部材が固定状に支持され、前記他方のロール当接部材が摺動可能に支持されているので、脱ぷロールのロール径（インチ数）の大・小にかかわらず、確実に脱ぷロールの回動を止めることができる。
【００２２】
（第２実施形態）図６は一対の脱ぷロールの各回転軸間を結ぶ線が傾斜配置された籾摺機における回り止め具の使用状態を示す正面図である。本実施形態の作用を説明すると、第１実施形態と同様、作業者は回り止め具１の把手部５を手で持ち、ノブボルト７を緩めて他方のロール当接部材４を摺動し、あらかじめ一方のロール当接部材３との間隔を広げておく。そして、籾摺機における一対の脱ぷロール８Ａ，９Ａのロール間隙部Ｌに、籾の供給側及び摺出側の両側からロール当接部材３，４を挿入する。次に、他方のロール当接部材４を一方のロール当接部材３側に移動させて間隔を狭めるとともに、ノブボルト７を締め付け、ロール間隙部Ｌを籾の供給側及び摺出側の両側から挟んで、脱ぷロール８Ａ，９Ａの回動を止める。
【００２３】
その後、作業者はスパナ、ボックスレンチ又はラチェットレンチ等を使用し、脱ぷロール固定ボルト１0ａ，１0ｂ，１0ｃ，１1ａ，１1ｂ，１1ｃを緩めると、籾の供給とは逆方向に脱ぷロールを回動する力が働いた場合でも、脱ぷロールの回動が確実に止められているので、共回りすることなくロール固定ボルトを緩めることができる。
【００２４】
次に、脱ぷロール固定ボルト１０，１１を緩めて、手で容易に螺脱することが可能になった段階で、回り止め具１を取り外して脱ぷロール８Ａ，９Ａの交換を行うとよい。新たに脱ぷロールの組み付ける際も、同様に回り止め具１を使用すると、共回りすることなくロール固定ボルトを締め付けることができる。
【００２５】
上記構成により、一対の脱ぷロールの各回転軸間を結ぶ線が傾斜配置された籾摺機であっても、一対の脱ぷロール８Ａ，９Ａを回動を確実に止めて、共回りすることなくロール固定ボルト１0，１１を緩めたり、締め付けたりすることができる。また、図示はしないが、脱ぷロールの径が大小それぞれ異なる籾摺機であっても、本発明の脱ぷロールの回り止め具１を採用することができる。
【００２６】
（第３実施形態）前記一対のロール当接部材３，４の横断面形状は、図３に示す円形状に限らず、図７に示すように、三角形状を採用することもできる。これにより、三角形状の斜辺部と脱ぷロール８，９との当接する面積が増すので、脱ぷロール８，９の回動をより確実に止めることができる。
【産業上の利用可能性】
【００２７】
本発明の籾摺機における脱ぷロールの回り止め具は、一対の脱ぷロールの各回転軸間を結ぶ線が水平配置された籾摺機、傾斜配置された籾摺機、及び各脱ぷロールの径がそれぞれ大小異なる籾摺機等、脱ぷロールを備えた全ての籾摺機に採用することができる。
【図面の簡単な説明】
【００２８】
【図１】本発明の回り止め具の一実施例を示す斜視図である。
【図２】同上の側面図である。
【図３】同上の背面図である。
【図４】回り止め具の使用状態を示す斜視図である。
【図５】回り止め具の使用状態を示す正面図である。
【図６】一対の脱ぷロールの各回転軸間を結ぶ線が傾斜配置された籾摺機についての使用状態を示す正面図である。
【図７】本発明の回り止め具の別実施例を示す背面図である。
【図８】従来の脱ぷロールの位置決め装置に関する平断面図である。
【符号の説明】
【００２９】
１  回り止め具
２  支持プレート
３  一方のロール当接部材
４  他方のロール当接部材
４ａ  螺孔
５  把手部
６  長孔
７  ノブボルト
７ａ  螺軸
８  脱ぷロール
８ａ  ボス部
９  脱ぷロール
９ａ  ボス部
１０  脱ぷロール固定ボルト
１１  脱ぷロール固定ボルト
【図１】
0004816926.tif 000002
【図２】
0004816926.tif 000003
【図３】
0004816926.tif 000004
【図４】
0004816926.tif 000005
【図５】
0004816926.tif 000006
【図６】
0004816926.tif 000007
【図７】
0004816926.tif 000008
【図８】
0004816926.tif 000009